(57)【要約】【課題】画像形成すべきページ間の関係の視認性を高め、使い勝手を向上させること。【解決手段】ジョブ情報に基づいて画像形成した後のイメージであるプレビュー画像を表示するプレビュー領域と、表示中のプレビュー画像の前ページ又は次ページのプレビュー画像への遷移を指示する前ページキー又は次ページキーと、を備える画面をＬＣＤに表示させ、遷移指示が入力された場合、表示中のプレビュー画像から遷移指示されたプレビュー画像への遷移過程をジョブ情報に基づくアニメーションを画像処理部に生成させ、生成したアニメーションをＬＣＤに表示する制御部を備える画像形成装置。【選択図】図４
2009253777.tif 000002
【特許請求の範囲】
【請求項１】
ジョブ情報に基づいて画像形成した後のイメージであるプレビュー画像を表示する表示部と、
前記表示部に表示中のページのプレビュー画像から次ページ又は前ページのプレビュー画像への遷移を指示する入力部と、
前記ジョブ情報に基づき前記プレビュー画像の遷移過程のアニメーションを生成する画像処理部と、
前記入力部により遷移指示が入力された場合、前記表示中のプレビュー画像から遷移指示されたプレビュー画像への遷移過程をジョブ情報に基づく前記アニメーションを前記表示部に表示する制御部と、
を備えた画像形成装置。
【請求項２】
前記制御部は、片面と両面のジョブ情報に応じて異なる前記アニメーションを表示する、
請求項１に記載の画像形成装置。
【請求項３】
前記制御部は、片面である場合、前記表示中のページのプレビュー画像と遷移後のページのプレビュー画像とが時間の経過とともにスライドして互いに接近又は離間するアニメーションを表示する、
請求項２に記載の画像形成装置
【請求項４】
前記制御部は、次ページが表示中のページの裏面となる両面である場合、時間の経過とともに前記表示中のページのプレビュー画像と前記遷移後のページのプレビュー画像の表裏が反転するアニメーションを表示する、
請求項１から３のいずれか一項に記載の画像形成装置。
【請求項５】
前記制御部は、前記ジョブ情報の用紙の綴じ方向に応じて、前記表示中のページのプレビュー画像と前記遷移後のページのプレビュー画像との反転方向が異なる前記アニメーションを表示する、
請求項４に記載の画像形成装置。
【請求項６】
前記制御部は、画像形成するページが両面、かつ、画像形成する用紙が左又は右綴じである場合、用紙の綴じ方向に直交する方向である上下方向に延在する軸を中心とした反転方向で、時間の経過とともに前記表示中のページのプレビュー画像と前記遷移後のページのプレビュー画像とが反転するアニメーションを表示する、
請求項５に記載の画像形成装置。
【請求項７】
前記制御部は、画像形成するページが両面、かつ、画像形成する用紙が上又は下綴じである場合、用紙の綴じ方向に直交する方向である左右方向に延在する軸を中心とした反転方向で、時間の経過とともに前記表示中のページのプレビュー画像と前記遷移後のページのプレビュー画像とが反転するアニメーションを表示する、
請求項５又は６に記載の画像形成装置。
【発明の詳細な説明】
【技術分野】
【０００１】
本発明は、画像形成装置に関する。
【背景技術】
【０００２】
近年、画像形成されたページ（用紙面）のイメージを視覚化したプレビュー画像を表示するプレビュー機能を有する画像形成装置がある。
【０００３】
例えば、プレビュー実行時、ページ番号をアイコン表示するアイコン表示領域と、当該ページ番号に連動した印刷時のイメージを表示するイメージ表示領域とを有する画像形成装置であって、両面印刷モードが指定されている場合、両面印刷に即して表面と裏面とに分けてアイコンを表示し、ページ番号の指定に適宜連動してイメージ表示領域の表示を更新する技術が開示されている（特許文献１参照）。
【０００４】
また、イメージ画像の印刷属性からサムネイル画像と、当該印刷属性（両面、インサータ紙挿入、タブ紙挿入、Ｚ折り、ステイプル、パンチ等）の状態を視覚的に表現した印刷属性イメージとを作成し、サムネイル画像と印刷属性イメージとを表示する技術が開示されている（特許文献２参照）。
【０００５】
また、画像読取から画像出力に到る一連の動作を縮小画像を用いた動画で表示する技術が開示されている（特許文献３参照）。
【特許文献１】特開２００５−１１５９５８号公報
【特許文献２】特開２００５−１２８８７６号公報
【特許文献３】特開２００８−２６３８１号公報
【発明の開示】
【発明が解決しようとする課題】
【０００６】
しかしながら、上述したような特許文献１、２の技術では、ジョブ情報に基づいて画像形成した後のイメージであるプレビュー画像において、表示中の当該プレビュー画像のページから次ページ又は前ページのプレビュー画像を表示する際、単に表示中のページのプレビュー画像から前ページ又は次ページのプレビュー画像に切り替わるだけで、表示中の現在のページと前ページ又は次ページとの関係、例えば、両面か否か、用紙の綴じ方向など、がユーザにとって認識しづらくなっている。そのため、ユーザは、所望のページから成る出力物を得られるか否かの判断がし難く、無駄な出力をしてしまう恐れがあり、使い勝手が悪い、という問題がある。
【０００７】
また、特許文献３の技術では、画像が移動することにより画像データの流れを目視で認識しやすいようにしたものであって、各ページのプレビュー画像に関するものではない。夫々のページの関係がどのようになっているかをユーザが十分に認識できるための表示ではなく、所望のページからなる出力物を得られるか否かの判断が難しく、使い勝手が悪いという問題がある。
【０００８】
本発明の目的は、上記問題に鑑みて、プレビュー画像を表示する際、ページ間の関係の視認性を高め、使い勝手を向上させることである。
【課題を解決するための手段】
【０００９】
上記目的は、以下の本発明の画像形成装置により達成できる。
（１）本発明の画像形成装置は、ジョブ情報に基づいて画像形成した後のイメージであるプレビュー画像を表示する表示部と、前記表示部に表示中の尾エージのプレビュー画像から次ページ又は前ページのプレビュー画像への遷移を指示する入力部と、前記ジョブ情報に基づき前記プレビュー画像の遷移過程のアニメーションを生成する画像処理部と、前記入力部により遷移指示が入力された場合、前記表示中のプレビュー画像から遷移指示されたプレビュー画像への遷移過程をジョブ情報に基づく前記アニメーションを前記表示部に表示する制御部と、を備えた画像形成装置である。
【００１０】
（２）前記（１）に記載の画像形成装置において、前記制御部は、片面と両面のジョブ情報に応じて異なる前記アニメーションを表示する。
【００１１】
（３）前記（２）に記載の画像形成装置において、前記制御部は、片面である場合、前記表示中のページのプレビュー画像と遷移後のページのプレビュー画像とが時間の経過とともにスライドして互いに接近又は離間するアニメーションを表示する。
【００１２】
（４）前記（１）から（３）のいずれか一項に記載の画像形成装置において、前記制御部は、次ページが表示中のページの裏面となる両面である場合、時間の経過とともに前記表示中のページのプレビュー画像と前記遷移後のページのプレビュー画像の表裏が反転する表示態様のアニメーションを表示する。
【００１３】
（５）前記（４）に記載の画像形成装置において、前記制御部は、前記ジョブ情報の綴じ方向に応じて、前記表示中のページのプレビュー画像と前記遷移後のページのプレビュー画像との反転方向が異なる前記アニメーションを表示する。
【００１４】
（６）前記（５）に記載の画像形成装置において、前記制御部は、画像形成するページが両面、かつ、画像形成する用紙が左又は右綴じである場合、用紙の綴じ方向に垂直な方向である上下方向に延在する軸を中心とした反転方向で、時間の経過とともに前記表示中のページのプレビュー画像と前記遷移後のページのプレビュー画像とが反転するアニメーションを表示する。
【００１５】
（７）前記（５）又は（６）に記載の画像形成装置において、前記制御部は、画像形成するページが両面、かつ、画像形成する用紙が上又は下綴じである場合、用紙の綴じ方向に垂直な方向である左右方向に延在する軸を中心とした反転方向で、時間の経過とともに前記表示中のページのプレビュー画像と前記遷移後のページのプレビュー画像とが反転するアニメーションを表示する。
【発明の効果】
【００１６】
本発明によれば、ジョブ情報に基づいて画像形成した後のイメージであるプレビュー画像を表示する際、表示中のプレビュー画像のページと遷移後のプレビュー画像のページとの関係の視認性を高めることができ、画像形成前に所望の出力物を得られるか否かの判断を助長することができ、無駄な出力をしてしまう恐れを低減できることから、使い勝手を向上することができる。
【００１７】
請求項２に記載の発明によれば、請求項１と同様の効果を得られるのは勿論のこと、表示中のプレビュー画像のページと遷移後のプレビュー画像のページとの関係が用紙のオモテ面とウラ面の両面の関係であるのか、オモテ面のみの片面の関係であるのかを視認することができる。
【００１８】
請求項３に記載の発明によれば、請求項２と同様の効果を得られるのは勿論のこと、遷移後のプレビュー画像のページは表示中のプレビュー画像のページとは異なる用紙のページであることを具体的に視認することができ、画像が片面に形成されるものであるとの判別を助長することができる。
【００１９】
請求項４に記載の発明によれば、請求項１から３のいずれか一項と同様の効果を得られるのは勿論のこと、遷移後のプレビュー画像のページは表示中のプレビュー画像のページとは同じ用紙の裏面のページであることを具体的に視認することができ、画像が両面に形成されるものであるとの判別を助長することができる。
【００２０】
請求項５に記載の発明によれば、請求項４と同様の効果を得られるのは勿論のこと、表示中のプレビュー画像のページと遷移後のレビュー画像のページとの綴じ方向の関係を視認することができる。
【００２１】
請求項６に記載の発明によれば、請求項５と同様の効果を得られるのは勿論のこと、表示中のプレビュー画像のページと遷移後のプレビュー画像のページとの綴じ方向が左又は右綴じであることを具体的に視認しつつ、オモテ面とウラ面の関係である点を視認することができ、両面である旨と左又は右綴じの判別を助長することができる。
【００２２】
請求項７に記載の発明によれば、請求項５又は６と同様の効果を得られるのは勿論のこと、表示中のプレビュー画像のページと遷移後のプレビュー画像のページとの綴じ方向が上又は下綴じであることを具体的に視認しつつ、オモテ面とウラ面の関係である点を視認することができ、両面である旨と上又は下綴じの判別を助長することができる。
【発明を実施するための最良の形態】
【００２３】
以下、図を参照して本発明の実施の形態を詳細に説明する。
まず、構成を説明する。
図１に、本実施の形態における画像形成装置１の概略断面構成図を示す。
【００２４】
図１に示すように、画像形成装置１は、原稿から画像を読み取り、読み取った画像を用紙Ｐに画像形成したり、外部装置等から画像データを含むページデータや各画像データの画像形成条件（両面モード、片面モード等）や後処理条件（ステイプルの綴じ位置、綴じ方向等）等の設定情報を含むジョブのジョブ情報を受信し、受信したジョブ情報に基づいて画像を用紙Ｐ上に形成したりする本体部１ａと、画像が形成された用紙に後処理を施す後処理部５０等を備えたデジタル複合機である。本体部１ａは、画像読取部２０、操作表示部３０、プリント部４０等を備えて構成される。
【００２５】
画像読取部２０は、ＡＤＦ（Auto Document Feeder）と称される自動原稿送り部２１と読取部２２とを備え、操作表示部３０から入力された設定情報に基づいて複数の原稿の画像を読み取る機能を実現する。自動原稿送り部２１の原稿トレイＴ１に載置された原稿ｄは、読取位置であるコンタクトガラス上に搬送され、光学系により原稿ｄの片面又は両面の画像が走査され、ＣＣＤ（Charge Coupled Device）２２ａにより原稿ｄの画像が読み取られる。ここで、画像とは、図形や写真等のイメージデータに限らず、文字や記号等のテキストデータ等も含む意である。
【００２６】
画像読取部２０により読み取られた画像データ（アナログ画像信号）は、後述する画像制御基板の読取処理部１４０に出力され、読取処理部１４０においてＡ／Ｄ変換され各種画像処理が施された後、プリント部４０に出力される。
【００２７】
操作表示部３０は、ＬＣＤ（Liquid Crystal Display）３１、ＬＣＤ３１を覆うように設けられたタッチパネル３２、マウス３３、その他図示しない操作キー等から構成され、ユーザからの指示を受け付けその操作信号を制御部１１０に出力し、また、制御部１１０から入力される表示信号に従って、各種操作指示や設定情報を入力するための各種設定画面や各種処理結果等を表示する。
【００２８】
ＬＣＤ３１は、各種操作指示を示す複数のボタンや、ジョブ情報に基づいて画像形成した後のページのイメージを視覚化したプレビュー画像を表示するプレビュー領域を備える画面（例えば、図２参照）等の各種画面を表示する表示部として機能し、当該各種画面により受け付けられた指示を示す操作信号を後述する制御部１１０に出力する。
【００２９】
図２に、プレビュー領域を備える画面の例を示す。
図２に示す画面Ｇ１は、プレビュー画像ＰＧと、前ページキーＢ１、次ページキーＢ２、ページ番号表示領域Ｅ１０を有するプレビュー領域Ｅ１を備える。
【００３０】
前ページキーＢ１は、プレビュー領域Ｅ１に表示するプレビュー画像を、表示中のプレビュー画像のページの前に続く順番のページ（前ページ）のプレビュー画像へ遷移する遷移指示を入力するボタンであり、また、次ページキーＢ２は、プレビュー領域Ｅ１に表示するプレビュー画像を、表示中のプレビュー画像のページの後に続く順番のページ（次ページ）のプレビュー画像へ遷移する遷移指示を入力するボタンであり、入力部として機能する。
ページ番号表示領域Ｅ１０は、表示中のプレビュー画像が、ジョブの何ページ目であるかを示す領域である。
【００３１】
プリント部４０は、入力されたプリントデータに基づいて、電子写真方式の画像形成処理を行うものであり、給紙部４１、用紙搬送部４２、画像形成部４３、搬出部４４を備えて構成される。
【００３２】
給紙部４１は、複数の給紙トレイ４１ａ、給紙手段４１ｂ、手差しトレイＴ２等を備える。給紙トレイ４１ａには、用紙Ｐが収容されており、給紙手段４１ｂによって用紙Ｐを最上部から一枚ずつ用紙搬送部４２に向けて搬送する。手差しトレイＴ２は、ユーザのニーズに合わせて様々な種類の用紙Ｐを積載可能となっており、給紙ローラによって積載された用紙Ｐを最上部から一枚ずつ用紙搬送部４２に向けて搬送する。
【００３３】
用紙搬送部４２は、給紙トレイ４１ａ又は手差しトレイＴ２から搬送された用紙Ｐを、複数の中間ローラ、レジストローラ４２ａ等を経て転写装置４３ａへと搬送する。
また、用紙搬送部４２は、搬送路切換板により、片面画像形成処理済みの用紙Ｐを両面搬送路に搬送し、再び中間ローラ、レジストローラ４２ａを経て転写装置４３ａへと搬送する。
【００３４】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、定着装置４３ｂを備え、後述するＲＡＭ１３０に記憶されているジョブ情報に基づいて用紙に画像を形成する機能を実現する。具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００３５】
定着装置４３ｂは、用紙搬送部４２によって搬送された用紙Ｐに転写されたトナー像を熱定着する。定着処理された用紙Ｐは、搬出部４４の排紙ローラに挟持されて搬出口から後処理部５０へ搬送される。
【００３６】
後処理部５０は、画像が形成された用紙のソート処理を行うソート部、パンチ処理を行うパンチ部、設定された綴じ方向及び綴じ位置に応じて用紙の束を綴じるステイプル処理を行うステイプル部、折り処理を行う折り部、断裁処理を行う断裁ユニット等の各種後処理ユニットと、各種処理が施された又は施されなかった用紙が排紙されて積載される複数の排紙トレイＴ３を備える。
【００３７】
図３に、画像形成装置１の制御ブロック図を示す。
図３に示すように、画像形成装置１は、本体部１ａとプリンタコントローラ１ｂと、本体部１ａに接続された後処理部５０から構成されている。画像形成装置１は、プリンタコントローラ１ｂのＬＡＮＩＦ（Local Area Network InterFace）１４を介してネットワーク３上の外部装置２と相互に情報の送受信が可能に接続されている。
【００３８】
本体部１ａは、画像読取部２０、操作表示部３０、プリント部４０、画像制御基板１００を備えて構成される。なお、図１で説明した各部と同一の構成には、同一の符号を付してその説明を省略する。
【００３９】
画像制御基板１００は、制御部１１０、不揮発メモリ１２０、ＲＡＭ（Random Access Memory）１３０、画像処理部６００、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０から構成される。
【００４０】
制御部１１０は、ＣＰＵ（Central Processing Unit）等から構成され、不揮発メモリ１２０に格納されているシステムプログラム及び各種アプリケーションプログラム、各種データの中から指定されたプログラムやデータを読み出してＲＡＭ１３０に展開し、ＲＡＭ１３０に展開されたプログラムとの協働で、各種処理を実行し、画像形成装置１の各部を集中制御する。例えば、操作表示部３０や外部装置２から入力される指示信号に従って、コピーモード、プリンタモード、スキャナモードを切り替え、複写、プリント、画像データの読取等の制御を行う。
【００４１】
制御部１１０は、不揮発メモリ１２０から本実施の形態に係る操作表示部３０に表示される画面内のプレビュー領域の動作処理としてのプレビュー表示処理プログラムと、当該プログラム及び各種データとの協働により、プレビュー領域に表示するプレビュー画像を、表示中のプレビュー画像の前ページ又は次ページのプレビュー画像への遷移を指示する遷移指示が入力された場合、表示中のプレビュー画像から遷移指示されたプレビュー画像への遷移過程をジョブ情報に基づくアニメーションをＬＣＤ３１に表示するプレビュー表示処理を実行する。
【００４２】
制御部１１０は、画像形成するページが片面（片面モード）である場合、表示中のページのプレビュー画像と遷移後のページのプレビュー画像とが、時間の経過とともにスライドして互いに接近又は離間するアニメーションを画像処理部６００に生成させ、生成されたアニメーションをＬＣＤ３１に表示する。
【００４３】
また、制御部１１０は、画像形成するページが両面（両面モード）であり、かつ、画像形成するページの綴じ方向の設定がある場合、綴じ方向と直交する方向に延在する軸を中心とした反転方向で時間の経過とともに表示中のページのプレビュー画像と遷移後のページのプレビュー画像とが反転するアニメーションを画像処理部６００に生成させ、画像処理部６００が生成したアニメーションをＬＣＤ３１に表示する。
【００４４】
不揮発メモリ１２０は、画像形成に係る各種処理プログラム及びデータの他、本実施の形態に係るプレビュー表示処理プログラム、切替表示動作に必要な動画のデータ、各種プログラムで処理されたデータ等を記憶する。
【００４５】
ＲＡＭ１３０は、制御部１１０により実行される各種プログラム及びこれらプログラムに係る各種データ、ジョブ情報等を一時的に記憶するワークエリアを形成する。
【００４６】
読取処理部１４０は、画像読取部２０の画像読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００４７】
圧縮ＩＣ１５０は、入力されたデジタル画像データに圧縮処理を施してＤＲＡＭ制御ＩＣ１６０に出力する。
【００４８】
ＤＲＡＭ制御ＩＣ１６０は、制御部１１０からの指示に従って、圧縮ＩＣ１５０による画像データの圧縮処理及び伸長ＩＣ１８０による圧縮画像データの伸長処理を制御するとともに、画像メモリ１７０への画像データの入出力制御を行う。例えば、画像読取部２０により読み取られた画像信号の保存が指示されると、読取処理部１４０から入力された画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された画像データのプリント出力が指示されると、ページメモリ１７２から画像データを読み出して書込処理部１９０に出力する。
【００４９】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力用の画像データ（プリントデータ）を一時的に格納するためのメモリである。
【００５０】
伸長ＩＣ１８０は、圧縮画像データに伸長処理を施す。
【００５１】
書込処理部１９０は、ＤＲＡＭ制御ＩＣ１６０から入力された画像データに基づいて、画像形成のためのプリントデータを生成し、プリント部４０に出力する。
【００５２】
画像読取部２０は、ＣＣＤ２２ａ、画像読取制御部２００、その他ここでは図示しないが図１に示した自動原稿送り部２１、読取部２２等から構成される。画像読取制御部２００は、自動原稿送り部２１、読取部２２等を制御して、原稿面の露光走査を実行させ、光の反射光をＣＣＤ２２ａにより光電変換を行わせて画像を読み取る。読み取られたアナログ画像信号は読取処理部１４０に出力される。
【００５３】
操作表示部３０は、ＬＣＤ３１、タッチパネル３２、操作表示制御部３００、その他テンキー等の操作キー群から構成される。操作表示制御部３００は、制御部１１０から入力される表示信号に従って、各種設定条件を入力するための各種画面、図２に示すようなプレビュー領域を含む画面や各種処理結果等をＬＣＤ３１に表示させる。また、操作表示制御部３００は、各種スイッチやボタン、テンキー、操作キー群、タッチパネル３２から入力される操作信号を制御部１１０に出力する。
【００５４】
プリント部４０は、図１に示した画像形成部４３等のプリント出力に係る各部やプリント制御部４００を備えて構成される。プリント制御部４００は、制御部１１０からの指示に従って画像形成部４３等のプリント部４０の各部の動作を制御し、書込処理部１９０から入力されたプリントデータに基づいて用紙Ｐに画像形成を行わせると共に、制御部１１０からの指示に従って後処理部５０の各部を動作させる指示信号を後処理制御部５００に出力する。
【００５５】
後処理部５０は、各種後処理ユニット、各種後処理ユニットへ用紙を搬送する搬送ローラ等の搬送手段、各種後処理ユニットから搬送された用紙が排紙される排紙トレイＴ３等が設けられており、各種後処理ユニットは後処理制御部５００により統括的に制御されている。後処理制御部５００は、制御部１１０からプリント制御部４００を介して入力される後処理の指示信号に応じて、用紙Ｐを搬送経路に沿って所定の後処理ユニットに搬送し、各部を駆動制御して用紙Ｐに所定の後処理を行わせ、排紙トレイＴ３に排紙させる制御を行う。
【００５６】
画像処理部６００は、制御部１１０からの指示に従って、ジョブ情報に基づきプレビュー画像の遷移過程のアニメーションを生成する。
【００５７】
次に、プリンタコントローラ１ｂの各部について説明する。プリンタコントローラ１ｂは、画像形成装置１をネットワークプリンタとして使用する場合に、ネットワーク３に接続される外部装置２から画像形成装置１に入力されるジョブの管理及び制御を行うものであり、外部装置２からプリント対象のデータを受信し、当該データをジョブとして本体部１ａへ送信する。
【００５８】
プリンタコントローラ１ｂは、コントローラ制御部１１、ＤＲＡＭ制御ＩＣ１２、画像メモリ１３、ＬＡＮＩＦ１４から構成される。
【００５９】
コントローラ制御部１１は、プリンタコントローラ１ｂ各部の動作を統括的に制御し、ＬＡＮＩＦ１４を介して、外部装置２から入力されるデータをジョブとして本体部１ａへ送信する。
【００６０】
ＤＲＡＭ制御ＩＣ１２は、ＬＡＮＩＦ１４により受信されたデータの画像メモリ１３への格納や、画像メモリ１３からのデータの読み出しを制御する。また、ＤＲＡＭ制御ＩＣ１２は、画像制御基板１００のＤＲＡＭ制御ＩＣ１６０とＰＣＩ（Peripheral Components Interconnect）バスで接続されており、コントローラ制御部１１からの指示に従って、プリント対象のデータを画像メモリ１３から読み出してＤＲＡＭ制御ＩＣ１６０に出力する。
【００６１】
画像メモリ１３は、ＤＲＡＭから構成され、入力された出力データを一時的に格納する。
【００６２】
ＬＡＮＩＦ１４は、ＮＩＣ（Network Interface Card）やモデム等のＬＡＮ等のネットワーク３に接続するための通信インターフェイスであり、外部装置２からデータを受信する。受信されたデータは、ＤＲＡＭ制御ＩＣ１２に出力される。
【００６３】
次に、本実施の形態の動作を説明する。
図４に、本実施の形態におけるプレビュー表示処理のフローチャートを示す。本処理は、制御部１１０と各部とが協働して実行されるものである。
【００６４】
制御部１１０は、操作表示部３０により操作信号の入力があるか否かを判別し（ステップＳ１）、操作信号の入力がない場合（ステップＳ１；Ｎｏ）、ステップＳ１に戻る。
【００６５】
制御部１１０は、操作表示部３０により操作信号の入力がある場合（ステップＳ１；Ｙｅｓ）、当該操作信号は、前ページキー又は次ページキーからの操作信号か否かを判別すし（ステップＳ２）、前ページキー又は次ページキーからの操作信号でない場合（ステップＳ２；Ｎｏ）、本処理を終了する。
【００６６】
制御部１１０は、前ページキー又は次ページキーからの操作信号である場合（ステップＳ２；Ｙｅｓ）、当該操作信号が次ページキーからの操作信号か否かを判別する（ステップＳ３）。
【００６７】
制御部１１０は、次ページキーからの操作信号である場合（ステップＳ３；Ｙｅｓ）、表示中のプレビュー画像の次ページのページデータに両面モードが設定されているか否かを判別し（ステップＳ４）、両面モードが設定されていない場合（ステップＳ４；Ｎｏ）、ステップＳ１１に進む。
【００６８】
制御部１１０は、表示中のプレビュー画像の次ページのページデータに両面モードが設定されている場合（ステップＳ４；Ｙｅｓ）、表示中のプレビュー画像のページは、用紙のオモテ面であるか否かを判別し（ステップＳ５）、オモテ面でない場合（ステップＳ５；Ｎｏ）、ステップＳ１１に進む。
【００６９】
制御部１１０は、表示中のプレビュー画像のページは、用紙のオモテ面である場合（ステップＳ５；Ｙｅｓ）、表示中のプレビュー画像のページの次ページのページデータに綴じ方向として左右綴じが設定されているか否かを判別する（ステップＳ６）。
【００７０】
制御部１１０は、綴じ方向として左右綴じが設定されている場合（ステップＳ６；Ｙｅｓ）、設定されている綴じ方向と直交する方向（即ち、左右綴じの場合には綴じ方向（左右方向）と直交する上下方向）に延在する軸を中心とした反転方向で、時間の経過とともに表示中のページのプレビュー画像と遷移後のページのプレビュー画像とが反転するアニメーションを画像処理部６００に生成させる。そして、制御部１１０は、画像処理部６００が生成したアニメーションをＬＣＤ３１に表示する第１回転表示処理を実行し、表示中のプレビュー画像の前ページ又は次ページのプレビュー画像を表示し（ステップＳ７）、本処理を終了する。
【００７１】
制御部１１０は、綴じ方向として左右綴じが設定されていない場合（ステップＳ６；Ｎｏ）、上下綴じと判別し、当該綴じ方向と直交する方向（即ち、上下綴じの場合には綴じ方向（上下方向）と直交する左右方向）に延在する軸を中心とした反転方向で、時間の経過とともに表示中のページのプレビュー画像と遷移後のページのプレビュー画像とが反転するアニメーションを画像処理部６００に生成させる。そして、制御部１１０は、画像処理部６００が生成したアニメーションをＬＣＤ３１に表示する第２回転表示処理を実行し、表示中のプレビュー画像の前ページ又は次ページのプレビュー画像を表示し（ステップＳ８）、本処理を終了する。
【００７２】
制御部１１０は、次ページキーからの操作信号でない場合（ステップＳ３；Ｎｏ）、前ページキーからの操作信号であると判別し、表示中のプレビュー画像のページの前ページのページデータに両面モードが設定されているか否かを判別し（ステップＳ９）、両面モードが設定されていない場合（ステップＳ９；Ｎｏ）、ステップＳ１１１に進む。
【００７３】
制御部１１０は、表示中のプレビュー画像のページの前ページのページデータに両面モードが設定されている場合（ステップＳ９；Ｙｅｓ）、表示中のプレビュー画像のページは、用紙のウラ面であるか否かを判別し（ステップＳ１０）、ウラ面でない場合（ステップＳ１０；Ｎｏ）、ステップＳ１１に進む。
【００７４】
制御部１１０は、表示中のプレビュー画像のページは、用紙のウラ面である場合（ステップＳ１０；Ｙｅｓ）、ステップＳ６に進む。
【００７５】
制御部１１０は、ステップＳ４；Ｎｏ後、ステップＳ５；Ｎｏ後、ステップＳ９；Ｎｏ後、又は、ステップＳ１０；Ｎｏ後、表示中のプレビュー画像と遷移後のページのプレビュー画像とが、時間の経過とともに互いにスライドして接近又は離間するアニメーションを画像処理部６００に生成させる。そして、制御部１１０は、画像処理部６００が生成したアニメーションをＬＣＤ３１に表示するスライド表示処理を実行して、表示中のプレビュー画像の前ページ又は次ページのプレビュー画像を表示し（ステップＳ１１）、本処理を終了する。
【００７６】
図５に、第１回転表示処理のアニメーションのイメージ図を示す。
図５に示す第１回転表示処理のアニメーションは、次ページキーＢ２からの操作信号（遷移指示）が入力された場合であって、次ページ（２ページ目）に対応するページデータに両面モード、綴じ方向が左右綴じ、が設定されており、表示中のプレビュー画像ＳＧ１のページ（１ページ目）が用紙のオモテ面である場合に生成されたアニメーションとする。
【００７７】
図５に示すように、次ページキーＢ２からの操作信号が入力されると、綴じ方向と直交する方向、ここでは、左右綴じ方向と直交する方向（即ち、図５に示す１ページ目のプレビュー画像ＳＧ１の左右方向Ｙと直交する上下方向Ｘ）に延在する軸を中心として、１ページ目のプレビュー画像ＳＧ１が一方向に反転しながら２ページ目のプレビュー画像ＳＧ２の表示に遷移するアニメーションが表示され、２ページ目のプレビュー画像ＳＧ２の全体が表示されると当該アニメーションが停止する。
【００７８】
前ページキーＢ１からの操作信号（遷移指示）が入力された場合であって、表示中のプレビュー画像の前ページのページデータに両面モード、綴じ方向が左右綴じ、が設定されており、表示中のプレビュー画像のページが用紙のウラ面である場合も、図５に示すような同様の遷移過程を表すアニメーションとなる。なお、この場合、プレビュー画像の反転方向を前述した次ページキーからの選択信号が入力された場合とは逆の反転方向とすることが好ましい。
【００７９】
図６に、第２回転表示処理のアニメーションのイメージ図を示す。
図６に示す第２回転表示処理のアニメーションは、次ページキーＢ２からの操作信号が入力された場合であって、次ページ（２ページ目）に対応するページデータに両面モード、綴じ方向が上下綴じ、が設定されており、表示中のプレビュー画像ＳＧ１のページ（１ページ目）が用紙のオモテ面である場合に生成されたアニメーションとする。
【００８０】
図６に示すように、次ページキーＢ２からの操作信号が入力されると、綴じ方向と直交する方向、ここでは、上下綴じ方向と直交する方向（即ち、図６に示す１ページ目のプレビュー画像ＳＧ１の上下方向Ｘと直交する左右方向Ｙ）に延在する軸を中心として、１ページ目のプレビュー画像ＳＧ１が一方向に反転しながら２ページ目のプレビュー画像ＳＧ２の表示に遷移するアニメーションが表示され、２ページ目のプレビュー画像ＳＧ２の全体が表示されると当該アニメーションが停止する。
【００８１】
前ページキーＢ１からの操作信号が入力された場合であって、表示中のプレビュー画像のページの前ページのページデータに両面モード、綴じ方向が上下綴じ、が設定されており、表示中のプレビュー画像のページが用紙のウラ面である場合も、図６に示すような同様の遷移過程を表すアニメーションとなる。なお、この場合、プレビュー画像の反転方向を前述した次ページキーからの選択信号が入力された場合とは逆の反転方向とすることが好ましい。
【００８２】
図７に、スライド表示処理のアニメーションのイメージ図を示す。
図７に示すスライド表示処理のアニメーションは、前ページキーＢ１からの操作信号（遷移指示）が入力された場合であって、前ページ（１ページ目）のページデータに片面モードが設定されている場合に生成されたアニメーションとする。
【００８３】
図７に示すように、前ページキーＢ１からの操作信号が入力されると、表示中の２ページ目のプレビュー画像ＳＧ２と１ページ目のプレビュー画像ＳＧ１とが、時間の経過とともに互いにスライドして接近又は離間するアニメーション（ここでは、２ページ目のプレビュー画像ＳＧ２の位置が固定された状態で、１ページ目のプレビュー画像ＳＧ１がプレビュー領域Ｅ１の右側から左側に向かう方向Ｚ１に遷移するアニメーション）、かつ、１ページ目のプレビュー画像ＳＧ１が２ページ目のプレビュー画像ＳＧ２の上に重なる遷移過程を表すアニメーションが表示され、１ページ目のプレビュー画像ＳＧ１の全体が所定の表示位置に表示されると当該アニメーションが停止する。
【００８４】
図８に、スライド表示処理のアニメーションの他のイメージ図を示す。
図８に示すスライド表示処理のアニメーションは、次ページキーＢ２からの操作信号が入力された場合であって、次ページ（２ページ目）のページデータに片面モードが設定されている場合に生成されたアニメーションとする。
【００８５】
図８に示すように、次ページキーＢ２からの操作信号が入力されると、表示中の１ページ目のプレビュー画像ＳＧ１と２ページ目のプレビュー画像ＳＧ２とが、時間の経過とともに互いにスライドして接近又は離間するアニメーション（ここでは、２ページ目のプレビュー画像ＳＧ２の位置が固定された状態で、１ページ目のプレビュー画像ＳＧ１がプレビュー領域Ｅ１の左側から右側に向かう方向Ｚ２に遷移するアニメーション）、かつ、１ページ目のプレビュー画像ＳＧ１の下に重なっていた２ページ目のプレビュー画像ＳＧ２が現れる遷移過程を表すアニメーションが表示され、２ページ目のプレビュー画像ＳＧ２の全体が表示されると当該アニメーションが停止する。
【００８６】
以上のように、本実施の形態によれば、表示中のプレビュー画像から遷移後のプレビュー画像への遷移過程を、表示中のプレビュー画像のページ及び前ページキー又は次ページキーにより入力された遷移指示に対応するページのジョブ情報に基づいて生成されたアニメーションで表示させることができるため、表示中のプレビュー画像のページと遷移後に表示するプレビュー画像のページとの関係の視認性を高めることができ、画像形成前に所望の出力物を得られるか否かの判断を助長させることができ、無駄な出力をしてしまう恐れを低減できることから、使い勝手を向上することができる。
【００８７】
更に、両面又は片面に応じて、アニメーションを変えることができ、表示中のプレビュー画像のページと遷移後に表示するプレビュー画像のページとの関係が用紙のオモテ面とウラ面の両面の関係であるのか、オモテ面のみの片面の関係であるのかを視認することができる。
【００８８】
特に、片面モードである場合には、表示中のプレビュー画像と遷移後のプレビュー画像とが時間の経過とともに互いにスライドして接近又は離間するアニメーションで、表示中のプレビュー画像から遷移後のプレビュー画像へ遷移させることができ、遷移後にプレビュー画像として表示されるページは表示中のプレビュー画像のページとは異なる用紙のページであることを具体的に視認することができ、画像が片面に形成されるものであるとの判別を助長することができる。
【００８９】
両面モードである場合には、時間の経過とともに表示中のプレビュー画像と遷移後のプレビュー画像とが反転するアニメーションで、表示中のプレビュー画像から遷移後のプレビュー画像へ遷移させることができ、遷移後にプレビュー画像として表示されるページは表示中のプレビュー画像のページとは同じ用紙のページであることを具体的に視認することができ、画像が両面に形成されるものであるとの判別を助長することができる。
【００９０】
また、綴じ方向に応じて、反転方向を異ならせるアニメーションでプレビュー画像を遷移させることができるため、表示中のプレビュー画像のページと遷移後に表示されるプレビュー画像のページとの綴じ方向の関係を視認することができる。
【００９１】
特に、両面モード、かつ、左又は右綴じである場合、綴じ方向と直交する上下方向に延在する軸を中心とした反転方向で、時間の経過とともに表示中のプレビュー画像と遷移後のプレビュー画像とが反転するアニメーションで、表示中のプレビュー画像から遷移後のプレビュー画像へ遷移することができ、表示中のプレビュー画像のページと遷移後のプレビュー画像のページとの綴じ方向が左又は右綴じであることを具体的に視認しつつ、オモテ面とウラ面の関係である点を視認することができ、両面である旨と用紙の綴じ方向（左又は右綴じ）の判別を助長することができる。
【００９２】
両面モード、かつ、上又は下綴じである場合、綴じ方向と直交する左右方向に延在する軸を中心とした反転方向で、時間の経過とともに表示中のプレビュー画像と遷移御のプレビュー画像とが反転するアニメーションで、表示中のプレビュー画像から遷移後のプレビュー画像へ遷移することができ、表示中のプレビュー画像のページと遷移後のプレビュー画像のページとの綴じ方向が上又は下綴じであることを具体的に視認しつつ、オモテ面とウラ面の関係である点を視認することができ、両面である旨と上又は下綴じの判別を助長することができる。
【００９３】
以上の説明では、本発明に係るプログラムのコンピュータ読み取り可能な媒体として、不揮発メモリ１２０使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【００９４】
また、本発明は、上記実施の形態の内容に限定されるものではなく、本発明の主旨を逸脱しない範囲で適宜変更可能である。
【図面の簡単な説明】
【００９５】
【図１】画像形成装置の概略断面構成図である。
【図２】プレビュー領域を備える画面の例を示す図である。
【図３】画像形成装置の制御ブロック図である。
【図４】プレビュー表示処理のフローチャートである。
【図５】第１回転表示処理の切替表示動作のイメージ図である。
【図６】第２回転表示処理の切替表示動作のイメージ図である。
【図７】スライド表示処理の切替表示動作のイメージ図である。
【図８】スライド表示処理の切替表示動作の他のイメージ図である。
【符号の説明】
【００９６】
１  画像形成装置
１ａ  本体部
１ｂ  プリンタコントローラ
２  外部装置
３  ネットワーク
１１  コントローラ制御部
１２  ＤＲＡＭ制御ＩＣ
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
３２  タッチパネル
３３  マウス
４０  プリント部
４１  給紙部
４１ａ  給紙トレイ
４１ｂ  給紙手段
４２  用紙搬送部
４２ａ  レジストローラ
４３  画像形成部
４３ａ  転写装置
４３ｂ  定着装置
４４  搬出部
５０  後処理部
１００  画像制御基板
１１０  制御部
１２０  不揮発メモリ
１３０  ＲＡＭ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  操作表示制御部
４００  プリント制御部
５００  後処理制御部
Ｂ１  前ページキー
Ｂ２  次ページキー
ｄ  原稿
Ｅ１  プレビュー領域
Ｅ１０  ページ番号表示領域
Ｐ  用紙
ＰＧ、ＰＧ１、ＰＧ２  プレビュー画像
Ｔ１  原稿トレイ
Ｔ２  手差しトレイ
Ｔ３  排紙トレイ
【図１】
2009253777.tif 000003
【図２】
2009253777.tif 000004
【図３】
2009253777.tif 000005
【図４】
2009253777.tif 000006
【図５】
2009253777.tif 000007
【図６】
2009253777.tif 000008
【図７】
2009253777.tif 000009
【図８】
2009253777.tif 000010